【手続補正書】
【提出日】平成24年4月19日(2012.4.19)
【手続補正１】
【補正対象書類名】明細書
【補正対象項目名】００１０
【補正方法】変更
【補正の内容】
【００１０】
請求項１に記載の発明は、携帯端末と車載ユニットとを含む携帯端末システムであって、前記携帯端末は、音声通話を行う第１の音声通信手段と、車両の移動を検出する第１の検出手段と、近距離通信を行って前記車載ユニットの位置を認識する第１の通信手段と、前記第１の検出手段が検出した車両の移動と前記第１の通信手段による近距離通信の応答結果とに基づいて前記第１の音声通信手段による音声通話を制御する第１の制御手段と、を備え、前記車載ユニットは、前記第１の音声通信手段との間で音声通話を行う第２の音声通信手段と、前記車両の移動を検出する第２の検出手段と、近距離通信を行って前記携帯端末の位置を認識する第２の通信手段と、前記第２の検出手段が検出した車両の移動と前記第２の通信手段による近距離通信の応答結果とに基づいて前記第２の音声通信手段による音声通話を制御する第２の制御手段と、を備えることを特徴とする。
【手続補正２】
【補正対象書類名】明細書
【補正対象項目名】００１１
【補正方法】変更
【補正の内容】
【００１１】
請求項２に記載の発明は、請求項１に記載の発明において、前記車載ユニットは、前記携帯端末が車内にあるか否かを判断するために、前記第２の通信手段の通信出力を調整する端末検索手段を更に備えることを特徴とする。
【手続補正３】
【補正対象書類名】明細書
【補正対象項目名】００１２
【補正方法】変更
【補正の内容】
【００１２】
請求項３に記載の発明は、請求項２に記載の発明において、前記第２の制御手段は、前記端末検索手段によって調整された通信出力によって前記携帯端末が車内にないと判断した場合、音声通話の制御を元に戻すことを特徴とする。
【手続補正４】
【補正対象書類名】明細書
【補正対象項目名】００１３
【補正方法】変更
【補正の内容】
【００１３】
請求項４に記載の発明は、請求項２又は３に記載の発明において、前記第２の制御手段は、前記携帯端末が車内にあると判断した場合、前記第２の検出手段が検出した車両の移動に応じて音声通話の制御を元に戻すことを特徴とする。
【手続補正５】
【補正対象書類名】明細書
【補正対象項目名】００１４
【補正方法】変更
【補正の内容】
【００１４】
請求項５に記載の発明は、請求項１〜４の何れか一項に記載の発明において、前記携帯端末は、前記第１の通信手段の通信状態を監視する監視手段を更に備えることを特徴とする。
【手続補正６】
【補正対象書類名】明細書
【補正対象項目名】００１５
【補正方法】変更
【補正の内容】
【００１５】
請求項６に記載の発明は、請求項１〜５の何れか一項に記載の発明において、前記第１の制御手段が制御する第１の音声通信手段による音声通話及び前記第２の制御手段が制御する第２の音声通信手段による音声通話は、前記携帯端末を把持せずに音声通話を可能とするハンズフリーモードであることを特徴とする。
【手続補正７】
【補正対象書類名】明細書
【補正対象項目名】００１６
【補正方法】変更
【補正の内容】
【００１６】
請求項７に記載の発明は、音声通話を行う音声通信手段と、車両の移動を検出する検出手段と、近距離通信を行って車載ユニットの位置を認識する通信手段と、前記検出手段が検出した車両の移動と前記通信手段による近距離通信の応答結果とに基づいて前記音声通信手段による音声通話を制御し、前記通信手段による近距離通信の応答結果に基づいて前記携帯端末が車内にないと判断した場合、前記音声通話の制御を元に戻す制御手段と、を備えることを特徴とする。
【手続補正８】
【補正対象書類名】明細書
【補正対象項目名】００１７
【補正方法】変更
【補正の内容】
【００１７】
請求項８に記載の発明は、請求項７に記載の発明において、前記通信手段の通信状態を監視する監視手段を更に備えることを特徴とする。
【手続補正９】
【補正対象書類名】明細書
【補正対象項目名】００１８
【補正方法】変更
【補正の内容】
【００１８】
請求項９に記載の発明は、請求項７又は８に記載の発明において、前記制御手段が制御する前記音声通信手段による音声通話は、前記携帯端末を把持せずに音声通話を可能とするハンズフリーモードであることを特徴とする。
【手続補正１０】
【補正対象書類名】特許請求の範囲
【補正対象項目名】全文
【補正方法】変更
【補正の内容】
【特許請求の範囲】
【請求項１】
携帯端末と車載ユニットとを含む携帯端末システムであって、
前記携帯端末は、
音声通話を行う第１の音声通信手段と、
車両の移動を検出する第１の検出手段と、
近距離通信を行って前記車載ユニットの位置を認識する第１の通信手段と、
前記第１の検出手段が検出した車両の移動と前記第１の通信手段による近距離通信の応答結果とに基づいて前記第１の音声通信手段による音声通話を制御する第１の制御手段と、を備え、
前記車載ユニットは、
前記第１の音声通信手段との間で音声通話を行う第２の音声通信手段と、
前記車両の移動を検出する第２の検出手段と、
近距離通信を行って前記携帯端末の位置を認識する第２の通信手段と、
前記第２の検出手段が検出した車両の移動と前記第２の通信手段による近距離通信の応答結果とに基づいて前記第２の音声通信手段による音声通話を制御する第２の制御手段と、
を備えることを特徴とする携帯端末システム。
【請求項２】
前記車載ユニットは、前記携帯端末が車内にあるか否かを判断するために、前記第２の通信手段の通信出力を調整する端末検索手段を更に備えることを特徴とする請求項１に記載の携帯端末システム。
【請求項３】
前記第２の制御手段は、前記端末検索手段によって調整された通信出力によって前記携帯端末が車内にないと判断した場合、音声通話の制御を元に戻すことを特徴とする請求項２に記載の携帯端末システム。
【請求項４】
前記第２の制御手段は、前記携帯端末が車内にあると判断した場合、前記第２の検出手段が検出した車両の移動に応じて音声通話の制御を元に戻すことを特徴とする請求項２又は３に記載の携帯端末システム。
【請求項５】
前記携帯端末は、前記第１の通信手段の通信状態を監視する監視手段を更に備えることを特徴とする請求項１〜４の何れか一項に記載の携帯端末システム。
【請求項６】
前記第１の制御手段が制御する第１の音声通信手段による音声通話及び前記第２の制御手段が制御する第２の音声通信手段による音声通話は、前記携帯端末を把持せずに音声通話を可能とするハンズフリーモードであることを特徴とする請求項１〜５の何れか一項に記載の携帯端末システム。
【請求項７】
音声通話を行う音声通信手段と、
車両の移動を検出する検出手段と、
近距離通信を行って車載ユニットの位置を認識する通信手段と、
前記検出手段が検出した車両の移動と前記通信手段による近距離通信の応答結果とに基づいて前記音声通信手段による音声通話を制御し、前記通信手段による近距離通信の応答結果に基づいて前記携帯端末が車内にないと判断した場合、前記音声通話の制御を元に戻す制御手段と、
を備えることを特徴とする携帯端末。
【請求項８】
前記通信手段の通信状態を監視する監視手段を更に備えることを特徴とする請求項７に記載の携帯端末。
【請求項９】
前記制御手段が制御する前記音声通信手段による音声通話は、前記携帯端末を把持せずに音声通話を可能とするハンズフリーモードであることを特徴とする請求項７又は８に記載の携帯端末。